(57)【要約】【課題】サクション荷重を用いた隔壁の貫入を容易に行う。【解決手段】サクション基礎１００は、天井部１１と天井部１１に接続された周壁部１２とを有して底が開放されるように形成され、周壁部１２が水中の地盤Ｇに貫入される隔壁１０と、隔壁１０の内部の水を吸引することによって隔壁１０にサクション荷重を作用させる排水部３０と、周壁部１２の下端部から地盤Ｇ中に正圧の水を供給する注水部４０とを備えている。【選択図】図１
2020172822.tif 000002
【特許請求の範囲】
【請求項１】
天井部と前記天井部に接続された周壁部とを有して底が開放されるように形成され、前記周壁部が水中の地盤に貫入される隔壁と、
前記隔壁の内部の水を吸引することによって前記隔壁にサクション荷重を作用させる排水部と、
前記周壁部の下端部から地盤中に正圧の水を供給する注水部とを備えるサクション基礎。
【請求項２】
請求項１に記載のサクション基礎において、
前記注水部は、水を圧送する流体機械と、前記隔壁の下端部から地盤に水を流出させる流出部と、前記流体機械から前記流出部へ水を流通させる給水管とを有するサクション基礎。
【請求項３】
請求項２に記載のサクション基礎において、
前記流出部は、前記周壁部の周方向へ並んで複数形成されているサクション基礎。
【請求項４】
天井部と前記天井部に接続された周壁部とを有して底が開放されるように形成された隔壁を備えたサクション基礎の設置方法であって、
前記隔壁を水中の地盤へ沈降させる工程と、
前記隔壁の内部の水を吸引することによって前記隔壁にサクション荷重を作用させて、前記隔壁を地盤へ貫入させる工程とを備え、
前記隔壁を地盤へ貫入させる工程は、前記周壁部の下端部から地盤中に正圧の水を供給する工程を含むサクション基礎の設置方法。
【請求項５】
請求項４に記載のサクション基礎の設置方法において、
前記隔壁を地盤へ貫入させる工程では、前記正圧の水を供給する工程よりも前に、前記周壁部の下端部から地盤中に水を供給することなく、前記隔壁の内部の水を吸引する工程がさらに含まれているサクション基礎の設置方法。
【発明の詳細な説明】
【技術分野】
【０００１】
ここに開示された技術は、サクション基礎及びその設置方法に関する。
【背景技術】
【０００２】
従来より、水中の地盤に設置されるサクション基礎が知られている。例えば、特許文献１には、天井部と周壁部とを有して底が開放された隔壁を備えたサクション基礎が開示されている。周壁部が水底地盤中に貫入されることにより、隔壁が地盤に支持される。隔壁には、躯体等の構造体が設置される。
【先行技術文献】
【特許文献】
【０００３】
【特許文献１】特開平１１−１４０８８０号公報
【発明の概要】
【発明が解決しようとする課題】
【０００４】
ところで、前述のような隔壁を水底地盤に貫入させる際には、隔壁内を減圧することで生じるサクション荷重を利用する場合がある。しかしながら、隔壁内の減圧には限界があるため、地盤の強度が大きすぎると、隔壁の貫入が困難となる場合がある。
【０００５】
ここに開示された技術は、かかる点に鑑みてなされたものであり、その目的とするところは、サクション荷重を用いた隔壁の貫入を容易に行うことにある。
【課題を解決するための手段】
【０００６】
ここに開示されたサクション基礎は、天井部と前記天井部に接続された周壁部とを有して底が開放されるように形成され、前記周壁部が水中の地盤に貫入される隔壁と、前記隔壁の内部の水を吸引することによって前記隔壁にサクション荷重を作用させる排水部と、前記周壁部の下端部から地盤中に正圧の水を供給する注水部とを備えている。
【０００７】
ここに開示された、天井部と前記天井部に接続された周壁部とを有して底が開放されるように形成された隔壁を備えたサクション基礎の設置方法は、前記隔壁を水中の地盤へ沈降させる工程と、前記隔壁の内部の水を吸引することによって前記隔壁にサクション荷重を作用させて、前記隔壁を地盤へ貫入させる工程とを備え、前記隔壁を地盤へ貫入させる工程は、前記周壁部の下端部から地盤中に正圧の水を供給する工程を含む。
【発明の効果】
【０００８】
前記サクション基礎によれば、サクション荷重を用いた隔壁の貫入を容易に行うことができる。
【０００９】
前記サクション基礎の設置方法によれば、サクション荷重を用いた隔壁の貫入を容易に行うことができる。
【図面の簡単な説明】
【００１０】
【図１】図１は、サクション基礎の模式図である。
【図２】図２は、周壁部の下端部の拡大断面図である。
【図３】図３は、サクション基礎の底面図である。
【図４】図４は、サクション基礎の設置方法の手順を示すフローチャートである。
【図５】図５は、ステップＳ１においてサクション基礎を沈設する前の状態を示す説明図である。
【図６】図６は、ステップＳ３において注水を開始するときのサクション基礎の状態を示す説明図である。
【発明を実施するための形態】
【００１１】
以下、例示的な実施形態を図面に基づいて詳細に説明する。
【００１２】
図１は、サクション基礎１００の模式図である。図２は、周壁部１２の下端部の拡大断面図である。図３は、サクション基礎１００の底面図である。
【００１３】
サクション基礎１００は、水上又は水中に構造体を設置するための基礎であり、水中の地盤Ｇに沈設される。図１の例では、サクション基礎１００は、風車５０を洋上に設置するための基礎である。サクション基礎１００は、隔壁１０と排水部３０と注水部４０とを備えている。隔壁１０には、構造体の一例として風車５０が設置されてもよい。
【００１４】
隔壁１０は、天井が閉塞され且つ底が開放された容器状に形成されている。具体的には、隔壁１０は、天井部１１と天井部１１に接続された周壁部１２とを有して底が開放されるように形成されている。例えば、天井部１１は、略円盤状に形成されている。周壁部１２は、天井部１１の周縁に接続された略円筒状に形成されている。天井部１１には、支柱１５が設けられている。支柱１５は、天井部１１の中心Ｘに配置され、鉛直方向の上方に延びている。支柱１５の上端は、隔壁１０が地盤Ｇに沈設された状態において、水面よりも上方に位置している。支柱１５に、風車５０が設置され得る。隔壁１０は、鋼板で形成されている。
【００１５】
周壁部１２は、水中の地盤Ｇに貫入される。このとき、隔壁１０の内部には地盤Ｇを構成する土粒子が充填されている。ここで、「充填」とは、隔壁１０の内部が土粒子で完全に満たされた状態だけでなく、土粒子の上方に水が残留した状態も含む意味である。地盤Ｇに設置されたサクション基礎１００においては、周壁部１２に摩擦力が作用する。これにより、サクション基礎１００は、地盤Ｇに強固に固定されている。それに加えて、サクション基礎１００に外力が作用した場合には、隔壁１０の内部に負圧が発生し、引き抜き抵抗が増加する。これにより、サクション基礎１００の安定性が確保される。
【００１６】
排水部３０は、隔壁１０の内部の水を吸引することによって隔壁１０にサクション荷重を作用させる。ここで、「サクション荷重」とは、隔壁１０と地盤Ｇとによって閉じられた系内の圧力とその系外の圧力との差に、隔壁１０の水平断面積を乗じることで算出される鉛直方向の荷重である。排水部３０は、水を吸引する排水ポンプ３１と、排水ポンプ３１と隔壁１０の内部空間とを連通させる排水管３２とを有している。排水ポンプ３１を作動させて、排水管３２を介して隔壁１０の内部の水を排水することによって隔壁１０にサクション荷重が作用する。隔壁１０は、サクション荷重によって地盤Ｇへの貫入が促進される。
【００１７】
排水ポンプ３１は、例えば、電動ポンプであり得る。排水ポンプ３１は、隔壁１０に設置されている。詳しくは、排水ポンプ３１は、支柱１５のうち水面よりも上方の部分に取り付けられている。
【００１８】
排水管３２は、隔壁１０を貫通している。排水管３２は、一端が隔壁１０の内部に開口し、他端が隔壁１０の外部において排水ポンプ３１に接続されている。排水管３２のうち隔壁１０の外部に露出する部分は、支柱１５に沿って延び、支柱１５に支持されている。
【００１９】
注水部４０は、周壁部１２の下端部から地盤Ｇ中に正圧の水を供給する。ここで、「正圧」とは、地盤Ｇ中の水が供給される位置における水頭圧を基準とした正圧を意味する。注水部４０は、水を圧送する給水ポンプ４１と、隔壁１０の下端部から地盤Ｇに水を流出させる流出部４２と、給水ポンプ４１から流出部４２へ水を流通させる給水管４３とを有している。給水ポンプ４１から圧送される水は、給水管４３を流通し、流出部４２から地盤Ｇ中に流出する。給水ポンプ４１は、流体機械の一例である。
【００２０】
給水ポンプ４１は、例えば、電動ポンプであり得る。給水ポンプ４１は、隔壁１０に設置されている。詳しくは、給水ポンプ４１は、支柱１５のうち水面よりも上方の部分に取り付けられている。給水ポンプ４１は、隔壁１０が沈設される水中から水を吸い上げ、圧送する。
【００２１】
給水管４３は、周壁部１２の下端縁に設けられた分配管４３ａと、給水ポンプ４１と分配管４３ａとを接続する送水管４３ｂとを有している。分配管４３ａは、周壁部１２の下端縁の全周に亘って設けられている。分配管４３ａは、例えば略Ｌ字状の断面を有する形鋼、いわゆるアングルを略円環状に形成し、周壁部１２の下端縁に溶接することによって形成されている。送水管４３ｂの一端は、給水ポンプ４１に接続されている。送水管４３ｂは、給水ポンプ４１から支柱１５に沿って下方へ延び、天井部１１の上面に沿って周壁部１２の近傍まで延びた後、天井部１１を貫通して隔壁１０の内側へ延びている。送水管４３ｂのうち隔壁１０の内側の部分は、周壁部１２の内周面に沿って周壁部１２の下端縁まで延び、分配管４３ａに接続されている。
【００２２】
流出部４２は、隔壁１０の下端部に設けられている。詳しくは、流出部４２は、分配管４３ａを貫通する開口によって形成されている。分配管４３ａには、複数の流出部４２が形成されている。複数の流出部４２には、周壁部１２よりも半径方向外側へ向かって水を流出させる第１流出部４２ａと、周壁部１２よりも半径方向内側へ向かって水を流出させる第２流出部４２ｂとが含まれている。第１流出部４２ａと第２流出部４２ｂとを区別しない場合には、単に「流出部４２」と称する。複数の第１流出部４２ａは、周壁部１２の周方向へ間隔を空けて配列されている。好ましくは、複数の第１流出部４２ａは、等間隔に配置されている。同様に、複数の第２流出部４２ｂは、周壁部１２の周方向へ間隔を空けて配列されている。好ましくは、複数の第２流出部４２ｂは、等間隔に配置されている。さらに、周壁部１２の周方向において、第１流出部４２ａと第２流出部４２ｂとは交互に等間隔で配置されている。
【００２３】
このように構成された注水部４０では、隔壁１０が沈設される水域から給水ポンプ４１が水を汲み上げて、給水管４３へ圧送する。水は、送水管４３ｂを流通して、分配管４３ａまで送られる。水は、分配管４３ａを介して周壁部１２の周方向へ拡がり、複数の第１流出部４２ａ及び第２流出部４２ｂから地盤Ｇへ流出する。
【００２４】
風車５０は、サクション基礎１００に設置される構造体の一例である。風車５０は、タワー５１と、タワー５１に設けられたロータ５２とを有している。タワー５１は、隔壁１０の支柱１５に設置されている。ロータ５２は、タワー５１の先端部に回転自在に設けられている。
【００２５】
続いて、サクション基礎１００の設置方法について説明する。図４は、サクション基礎１００の設置方法の手順を示すフローチャートである。図５は、ステップＳ１においてサクション基礎１００を沈設する前の状態を示す説明図である。図６は、ステップＳ３において注水を開始するときのサクション基礎１００の状態を示す説明図である。
【００２６】
ステップＳ１において、図５に示すように、風車５０が設置されていない状態のサクション基礎１００が設置現場まで曳航される。その後、サクション基礎１００の地盤Ｇへの沈設が開始される。詳しくは、隔壁１０が水中の地盤Ｇへ沈降させられる。隔壁１０は、自重又はバラスト荷重によって海底に沈んでいく。周壁部１２の下端部は、隔壁１０の自重又はバラスト荷重によって地盤Ｇに或る程度貫入する。ステップＳ１は、隔壁を水中の地盤へ沈降させる工程の一例である。
【００２７】
続いて、サクション荷重による地盤Ｇへの隔壁１０の貫入が開始される。まず、ステップＳ２において、排水部３０により隔壁１０内の水を隔壁１０外へ吸引することによって隔壁１０を地盤Ｇへ貫入させる。このとき、注水部４０による周壁部１２の下端部から地盤Ｇ中への水の供給は行われない。詳しくは、排水部３０の排水ポンプ３１を作動させ、隔壁１０の内部の水を排水する。これにより、隔壁１０にサクション荷重が作用し、周壁部１２は、地盤Ｇにさらに貫入していく。周壁部１２が地盤Ｇに貫入していくのに従って、隔壁１０の内部は、地盤Ｇを構成する土粒子によって下方から満たされていく。このとき、地盤Ｇより上方の水や土粒子間の間隙水は、排水ポンプ３１によって排出されたり、隔壁１０の下端から隔壁１０の外部へ排出されていく。ステップＳ２は、周壁部の下端部から地盤中に水を供給することなく、隔壁の内部の水を吸引する工程の一例である。
【００２８】
隔壁１０が地盤Ｇに貫入する際には、土粒子と隔壁１０（詳しくは、周壁部１２）との間に摩擦力が作用する。隔壁１０の貫入が進むにつれて、隔壁１０と土粒子との接触面積が大きくなるので摩擦力も大きくなる。一方、サクション荷重の最大値は、ボイリングを引き起こさない程度に制限される。最大サクション荷重よりも摩擦力が大きくなると、隔壁１０の貫入が困難又は不可能となる。
【００２９】
そこで、ステップＳ３において、注水部４０による注水を開始する。ステップＳ３は、注水の開始条件が成立したときに開始される。例えば、開始条件は、隔壁１０が図６に示すように所定の深さまで貫入されることである。所定の深さは、摩擦力が最大サクション荷重と同程度になると想定される、隔壁１０の貫入深さ又は当該貫入深さよりも少し浅い貫入深さに設定され得る。あるいは、開始条件は、隔壁１０の地盤Ｇへの貫入が不可能となること、又は、隔壁１０が地盤Ｇへ貫入しづらくなることであってもよい。
【００３０】
ステップＳ３では、注水部４０の給水ポンプ４１を作動させ、流出部４２から地盤Ｇへ水を供給する。これにより、土粒子と隔壁１０との間の摩擦力が低減し、隔壁１０の貫入が促進される。注水部４０による注水と並行して、排水部３０による排水も行われる。例えば、注水部４０による注水量（注水流量）は、排水部３０による排水量（排水流量）より少ないことが好ましい。ステップＳ３は、周壁部の下端部から地盤中に正圧の水を供給する工程の一例である。
【００３１】
詳しくは、飽和土に応力σが作用するとき、土粒子が負担する応力をσ'、間隙水が負担する応力（即ち、間隙水圧）をｕとするとき、下式（１）が成り立つ。
【００３２】
σ＝σ’＋ｕ  ・・・（１）
地盤Ｇでは、式（１）が成立している。この状態で、間隙水圧ｕが変化すると、応力σはほとんど変化せず、応力σ'が変化する。具体的には、間隙水圧ｕが増大すると、応力σ'が減少する。一方、間隙水圧ｕが減少すると、応力σ'が増大する。つまり、注水部４０が地盤Ｇに正圧の水を供給することによって、間隙水圧ｕが増大し、それに応じて応力σ'が減少する。その結果、土粒子と隔壁１０との間の摩擦力が減少する。摩擦力が減少すると、サクション荷重による隔壁１０の貫入が容易となる。
【００３３】
ただし、サクション基礎１００においては隔壁１０が土粒子に強固に保持される必要があるので、注水部４０からの注水は、応力σ'が確保される程度に抑えられている。また、サクション基礎１００は、排水部３０によって隔壁１０の内部の水を吸引することでサクション荷重を付加することから、注水部４０からの注水量は少ない方が好ましい。詳しくは、注水部４０から注水された水はやがて徐々に消散し、それに伴い間隙水圧ｕも自然に低下するため、注水を停止すれば応力σ'も徐々に元の水準に回復する。このとき、消散する水の一部は、排水部３０によって吸引され、サクション荷重に影響を与え得る。そのため、注水部４０からの注水は、排水部３０によるサクション荷重を確保できる程度に抑えられている。
【００３４】
周壁部１２が所定の深さ（例えば、天井部１１が地盤Ｇに接する深さ）まで地盤Ｇに貫入すると、ステップＳ４において、給水ポンプ４１による給水及び排水ポンプ３１による排水が停止される。ステップＳ２，Ｓ３は、隔壁の内部の水を吸引することによって隔壁にサクション荷重を作用させて、隔壁を地盤へ貫入させる工程の一例である。
【００３５】
その後、ステップＳ５において、隔壁１０に風車５０が設置される。詳しくは、支柱１５に風車５０が設置される。
【００３６】
以上のように、サクション基礎１００は、天井部１１と天井部１１に接続された周壁部１２とを有して底が開放されるように形成され、周壁部１２が水中の地盤Ｇに貫入される隔壁１０と、隔壁１０の内部の水を吸引することによって隔壁１０にサクション荷重を作用させる排水部３０と、周壁部１２の下端部から地盤Ｇ中に正圧の水を供給する注水部４０とを備えている。
【００３７】
この構成によれば、排水部３０によって隔壁１０にサクション荷重が作用し、隔壁１０が地盤Ｇに貫入していく。その際に、注水部４０によって周壁部１２の下端部から地盤Ｇ中に正圧の水を供給することができる。水の供給により、地盤Ｇのうち隔壁１０が貫入している部分の間隙水圧ｕが増大し、土粒子と隔壁１０との間の摩擦力が低減する。その結果、サクション荷重を用いた隔壁１０の貫入を容易に行うことができる。
【００３８】
また、注水部４０は、水を圧送する給水ポンプ４１（流体機械）と、隔壁１０の下端部から地盤Ｇに水を流出させる流出部４２と、給水ポンプ４１から流出部４２へ水を流通させる給水管４３とを有している。
【００３９】
この構成によれば、給水ポンプ４１が給水管４３を介して水を流出部４２へ圧送し、流出部４２から地盤Ｇに水が流出する。このように給水ポンプ４１により水が圧送されるので、流出部４２から地盤Ｇへ流出する水は正圧となる。その結果、前述の如く、地盤Ｇの間隙水圧ｕを増大させ、土粒子と隔壁１０との間の摩擦力を低減することができる。
【００４０】
さらに、流出部４２は、周壁部１２の周方向へ並んで複数形成されている。
【００４１】
この構成によれば、周壁部１２の周方向の広範囲に亘って、土粒子と隔壁１０との間の摩擦力を低減することができる。
【００４２】
それに加えて、流出部４２は、周壁部１２の周方向へ等間隔で配列されている。
【００４３】
この構成によれば、土粒子と隔壁１０との摩擦力を、周壁部１２の周方向に満遍なく低減することができる。その結果、隔壁１０を貫入させる際の隔壁１０の傾きを低減することができる。
【００４４】
また、天井部１１と天井部１１に接続された周壁部１２とを有して底が開放されるように形成された隔壁１０を備えたサクション基礎の設置方法は、隔壁１０を水中の地盤Ｇへ沈降させる工程と、隔壁１０の内部の水を吸引することによって隔壁１０にサクション荷重を作用させて、隔壁１０を地盤Ｇへ貫入させる工程とを備え、隔壁１０を地盤Ｇへ貫入させる工程には、周壁部１２の下端部から地盤Ｇ中に正圧の水を供給する工程が含まれている。
【００４５】
この構成によれば、隔壁１０にサクション荷重が作用し、隔壁１０が地盤Ｇに貫入していく。その際に、周壁部１２の下端部から地盤Ｇ中に正圧の水を供給することができる。水の供給により、地盤Ｇのうち隔壁１０が貫入している部分の間隙水圧ｕが増大し、土粒子と隔壁１０との間の摩擦力が低減する。その結果、サクション荷重を用いた隔壁１０の貫入を容易に行うことができる。
【００４６】
さらに、隔壁１０を地盤Ｇへ貫入させる工程では、正圧の水を供給する工程よりも前に、周壁部１２の下端部から地盤Ｇ中に水を供給することなく、隔壁１０の内部の水を吸引する工程がさらに含まれている。
【００４７】
この構成によれば、地盤Ｇへの不必要な水の供給が抑制される。詳しくは、隔壁１０の内部の水は吸引され、それによって隔壁１０にサクション荷重が作用している。周壁部１２の下端部から地盤Ｇ中に供給された水は、隔壁１０の内部にも流入し得る。隔壁１０の内部の水が吸引されているにもかかわらず、周壁部１２の下端部から隔壁１０の内部に水が供給されると、サクション荷重が弱まり得る。隔壁１０を地盤Ｇに貫入させる際の序盤においては、土粒子と隔壁１０との間の摩擦力が小さいので、サクション荷重だけで隔壁１０を容易に貫入させることができる場合が多い。そこで、まずは隔壁１０の内部の水を吸引することだけで隔壁１０を地盤Ｇに貫入させ、その後、土粒子と隔壁１０との間の摩擦力が或る程度大きくなったときに、周壁部１２の下端部からの水の供給を行う。これにより、地盤Ｇへの不必要な水の供給が抑制され、サクション荷重による隔壁１０の貫入を効率よく行うことができる。
【００４８】
《その他の実施形態》
以上のように、本出願において開示する技術の例示として、前記実施形態を説明した。しかしながら、本開示における技術は、これに限定されず、適宜、変更、置き換え、付加、省略などを行った実施の形態にも適用可能である。また、前記実施形態で説明した各構成要素を組み合わせて、新たな実施の形態とすることも可能である。また、添付図面および詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００４９】
例えば、前記実施形態について、以下のような構成としてもよい。
【００５０】
隔壁１０の形状は、略円筒状に限られるものではない。隔壁１０は、天井部及び周壁部を有し且つ底を有さない形状であれば、任意の形状に形成することができる。例えば、隔壁１０は、断面が略四角形や略五角形等の角筒状に形成されていてもよい。また、隔壁１０は、天井部が湾曲したドーム状に形成されていてもよい。隔壁１０は、鋼板に限定されず、例えば、コンクリートで形成されていてもよい。
【００５１】
また、隔壁１０の内部は、複数の空間に仕切られていてもよい。隔壁１０には、支柱１５が設けられていなくてもよい。
【００５２】
さらに、サクション基礎１００に設置される構造体は、風車５０に限られるものではない。構造体は、風況観測塔又はケーソン等であってもよい。
【００５３】
注水部４０の給水ポンプ４１は、電動ポンプに限定されず、電気的又は機械的な動力によって作動し、流体を圧送する流体機械であればよい。排水部３０の排水ポンプ３１も、電動ポンプに限定されず、電気的又は機械的な動力によって作動し、流体を圧送する流体機械であればよい。また、排水ポンプ３１と給水ポンプ４１とは、共通のポンプで形成されていてもよい。すなわち、排水ポンプ３１が給水ポンプ４１として機能してもよい。排水ポンプ３１は、隔壁１０の内部の水を吸引し、吸引した水を流出部４２へ圧送してもよい。排水ポンプ３１及び／又は給水ポンプ４１は、水上ではなく、水中に設けられていてもよい。
【００５４】
流出部４２は、分配管４３ａに形成された開口に限定されない。隔壁１０の下端部から地盤に水を流出させる限り、流出部４２は任意の構成を採用することができる。例えば、給水管４３は、送水管４３ｂだけを有し、分配管４３ａを有さず、送水管４３ｂの下流側の開口端が流出部４２を構成してもよい。その場合、送水管４３ｂは、複数設けられていてもよい。流出部４２は、周壁部１２の半径方向の内側及び外側に水を流出させているが、半径方向の何れか一方だけに水を流出させてもよい。
【００５５】
また、流出部４２の位置は、周壁部１２の下端縁に限定されない。流出部４２は、周壁部１２の下端部であれば任意の場所に設けることができる。例えば、流出部４２は、周壁部１２の外周面における下端部に設けられていてもよい。このような構成は、分配管４３ａを周壁部１２の外周面における下端部に溶接することによって実現できる。流出部４２は、周壁部１２の半径方向外側の土粒子に水を流出させる。あるいは、流出部４２は、周壁部１２の内周面における下端部に設けられていてもよい。このような構成は、分配管４３ａを周壁部１２の内周面における下端部に溶接することによって実現できる。流出部４２は、周壁部１２の半径方向内側の土粒子に水を流出させる。
【００５６】
分配管４３ａは、アングルで形成されるものに限定されない。分配管４３ａは、円管で形成されていてもよい。
【００５７】
隔壁１０の内部の水を吸引することによって隔壁１０にサクション荷重を作用させて、隔壁１０を地盤Ｇへ貫入させる工程においては、まず、周壁部１２の下端部から地盤Ｇ中に水を供給することなく、隔壁１０の内部の水を吸引する工程を行い、その後に、周壁部１２の下端部から地盤Ｇ中に正圧の水を供給する工程を行っている。しかし、隔壁１０を地盤Ｇへ貫入させる工程の最初から、周壁部１２の下端部から地盤Ｇ中に正圧の水を供給してもよい。
【００５８】
また、周壁部１２の下端部から地盤Ｇ中に正圧の水を供給する工程においては、水の供給と並行して、隔壁１０の内部の水を吸引することによって隔壁１０にサクション荷重を作用させているが、これに限定されない。例えば、水の給水と水の吸引とを交互に行ってもよい。
【００５９】
サクション基礎１００が設置される水域は、海水であっても淡水であってもよい。
【産業上の利用可能性】
【００６０】
以上説明したように、ここに開示された技術は、サクション基礎及びその設置方法について有用である。
【符号の説明】
【００６１】
１００      サクション基礎
１０        隔壁
１１        天井部
１２        周壁部
３０        排水部
４０        注水部
４１        給水ポンプ（流体機械）
４２        流出部
４３        給水管
【図１】
2020172822.tif 000003
【図２】
2020172822.tif 000004
【図３】
2020172822.tif 000005
【図４】
2020172822.tif 000006
【図５】
2020172822.tif 000007
【図６】
2020172822.tif 000008